(57)【要約】【課題】鞄や書類，配送物などを収容するスペースの他に雨具を収容し、簡便に雨具を出し入れできるとともに鞄や書類，配送物を濡らすことのない二輪車用荷物運搬収納箱を提供する。【解決手段】二輪車用荷物運搬収納箱１０は仕切り板１３によって鞄，書類や配送物などを収納する主収納部１０ａと雨具入れ収納部１０ｂが形成されている。雨具入れ収納部１０ｂに雨具入れ２０が収納され、この中に雨合羽などの雨具を入れることができる。雨具入れ２０の蓋は開口時、立ち上がるため、主収納部１０ａに収納された書類などを濡らすことなく雨具を出し入れすることができる。【選択図】図２
0003160756.tif 000002
【実用新案登録請求の範囲】
【請求項１】
二輪車の後部座席などに取り付けて使用する荷物運搬収納箱において、
少なくとも２つの収納部を左右に仕切るための仕切り板を有し、一方の収納部には底部に排水孔を備える収納箱本体と、
一方の収納部に収納し、蓋を開いたとき開いた蓋が他方の収納部側に立ち上がる構造であって、底部を有しない角型筒状の濡れ物収納容器と、
からなり、
一方の収納部に収納した前記濡れ物収納容器に対し他方の収納部に入れた物を濡らすことなく濡れ物を出し入れ可能に構成したことを特徴とする二輪車用荷物運搬収納箱。
【請求項２】
前記濡れ物を入れる濡れ物収納容器の蓋は、両側の雨具入れ片にそれぞれ立ち上げ部分を有し、立ち上げ部分を折り曲げてマジックテープ（登録商標）で接続し閉じることを特徴とする請求項１記載の二輪車用荷物運搬収納箱。
【請求項３】
二輪車の後部座席などに取り付けて使用する荷物運搬収納箱において、
少なくとも２つの収納部を左右に仕切るための仕切り板を有し、一方の収納部には底部に排水孔を備える収納箱本体と、
一方の収納部に収納し、巾着口を有する布製の濡れ物収納容器と、
からなり、
他方の収納部に入れた物を濡らすことなく布製の前記濡れ物収納容器を一方の収納部に対し出し入れ可能に構成したことを特徴とする二輪車用荷物運搬収納箱。
【請求項４】
前記濡れ物収納容器とは雨合羽や折り畳み傘などの雨具を入れる容器であることを特徴とする請求項１，２または３記載の二輪車用荷物運搬収納箱。
【請求項５】
前記収納箱本体を開閉する蓋は、錠を有することを特徴とする請求項１，２，３または４記載の二輪車用荷物運搬収納箱。
【考案の詳細な説明】
【技術分野】
【０００１】
本考案は、バイクや二輪車などの荷台に取り付けられ、書類や配送物などを収納して運搬する荷物運搬収納箱、特に鞄，書類や配送物などを濡らすことなく合羽に代表される雨具も一緒に収容できる二輪車用荷物運搬収納箱に関する。
【背景技術】
【０００２】
バイクなどの二輪車では書類や出前の食べ物を配送する場合に後部荷台に運搬用の収納箱を取り付けて行っている。
この種の二輪車に取り付ける典型的な収納箱として従来より以下のものが実用に供されていた。
【０００３】
特許文献１は自動二輪車の収納かごで、必要なときは通常の収納かごと同じように使用でき、しかも使用していないときには人目に触れないよう自動二輪車本体内に収容することによって日常的には体裁よく走行、駐輪を行える収納かごであり、収納かご自体の内部構造については特別な仕切りなどは存在しない。
【０００４】
特許文献２は車両用宅配物積載装置で箱状の積載装置本体に対し、この積載装置本体内に上下二段に収容可能な二つの手持ちケースを用意した構造である。積載装置本体内に手持ちケースが収容される構造である。
【０００５】
特許文献３は自動二輪車の荷台装置で、必要に応じて物入れが簡単に着脱でき、且つ物入れの配置のバリエーションを拡大することができるものである。後部座席に配置する２つの物入れがスティに対し摺動自在に嵌合する仕組みとなっており、収納部分は２つの部分から成り立っている。
【０００６】
特許文献４は二輪車、三輪車用収納ボックスであり、小形の荷物や少量の荷物の運搬時にはトランクとして使用することができ、大きい荷物や多量の荷物を運搬時には籠として使用できるものである。内部構造は２つの空間部では構成されていない。
【先行技術文献】
【特許文献】
【０００７】
【特許文献１】特開２００３−８１１５５号公報
【特許文献２】特開２００１−３５４２６３号公報
【特許文献３】特開平１１−２６３２６１号公報
【特許文献４】特開平９−２０２７５号公報
【考案の概要】
【考案が解決しようとする課題】
【０００８】
上記各特許文献は自動二輪車の後部部分に荷物収納箱としてその機能に応じて内部容積を変えたり、また使用していないときには後部座席から位置移動して取り除く構成であったりする。また、内部構造も収納箱自体の内部に２つの箱が入るものがあり、本体内部には仕切りはない。
ところで、後部座席に鞄や書類，配送物などの他に、雨を凌ぐための雨合羽などの雨具を収容するスペースがある荷物収納箱があると便利である。かかる場合、雨具を出し入れする場合、書類や配送物に雨水がかからないような構造にすることが要請されている。
本考案の目的は、鞄や書類，配送物などを収容するスペースの他に雨具を収容し、簡便に雨具を出し入れできるとともに鞄や書類，配送物を濡らすことのない二輪車用荷物運搬収納箱を提供することにある。
【課題を解決するための手段】
【０００９】
前記目的を達成するために本考案の請求項１記載の二輪車用荷物運搬収納箱は、二輪車の後部座席などに取り付けて使用する荷物運搬収納箱において、少なくとも２つの収納部を左右に仕切るための仕切り板を有し、一方の収納部には底部に排水孔を備える収納箱本体と、一方の収納部に収納し、蓋を開いたとき開いた蓋が他方の収納部側に立ち上がる構造であって、底部を有しない角型筒状の濡れ物収納容器とからなり、
一方の収納部に収納した前記濡れ物収納容器に対し他方の収納部に入れた物を濡らすことなく濡れ物を出し入れ可能に構成したことを特徴とする。
本考案の請求項２は請求項１記載の考案において前記濡れ物を入れる濡れ物収納容器の蓋は、両側の雨具入れ片にそれぞれ立ち上げ部分を有し、立ち上げ部分を折り曲げてマジックテープ（登録商標）で接続し閉じることを特徴とする。
本考案の請求項３記載の二輪車用荷物運搬収納箱は、二輪車の後部座席などに取り付けて使用する荷物運搬収納箱において、少なくとも２つの収納部を左右に仕切るための仕切り板を有し、一方の収納部には底部に排水孔を備える収納箱本体と、一方の収納部に収納し、巾着口を有する布製の濡れ物収納容器とからなり、他方の収納部に入れた物を濡らすことなく布製の前記濡れ物収納容器を一方の収納部に対し出し入れ可能に構成したことを特徴とする。
本考案の請求項４は請求項１，２または３記載の考案において前記濡れ物収納容器とは雨合羽や折り畳み傘などの雨具を入れる容器であることを特徴とする。
本考案の請求項５は請求項１，２，３または４記載の考案において前記収納箱本体を開閉する蓋は、錠を有することを特徴とする。
【考案の効果】
【００１０】
上記構成によれば、鞄や書類，配送物などを収容するスペースの他に雨具を収容でき、書類や配送物を濡らすことなく簡便に雨具を出し入れできる。
【図面の簡単な説明】
【００１１】
【図１Ａ】本考案による二輪車用荷物運搬収納箱の実施の形態を示す図で、（ａ）は蓋を開けた状態を、（ｂ）は側面をそれぞれ示している。
【図１Ｂ】本考案による二輪車用荷物運搬収納箱の実施の形態を示す図で、（ａ）は蝶番の止めネジ部分を、（ｂ）は錠の部分をそれぞれ示している。
【図２】二輪車用荷物運搬収納箱に雨具入れを収納した状態を示す斜視図である。
【図３】雨具入れの構造を説明するための図で、（ａ）は雨具入れの斜視図、（ｂ）は雨具入れの平面図である。
【図４】雨具入れを組み立てる前の（ａ）雨具入れ片Ａ、（ｂ）雨具入れ片Ｂの構造を示す図である。
【図５】両面マジックテープの構造を説明するための図である。
【図６】雨合羽を雨具入れに収納した状態を示す斜視図で、（ａ）は蓋を閉じる前の状態を、（ｂ）は蓋を閉じた状態をそれぞれ示している。
【図７】雨具入れの実施例として巾着袋を用いた例を示す図で、（ａ）は巾着口を開いた状態を、（ｂ）は巾着口を閉じて雨具などを収納した状態をそれぞれ示している。
【図８】雨具入れ収納部に巾着袋を収納した状態を示す図である。
【考案を実施するための形態】
【００１２】
以下、図面を参照して本考案の詳細を詳しく説明する。
図１Ａ，図１Ｂは、本考案による二輪車用荷物運搬収納箱の実施の形態を示す図で、図１Ａの（ａ）は蓋を開けた状態を、（ｂ）は側面を、図１Ｂの（ａ）は蝶番の止めネジ部分を、（ｂ）は錠の部分をそれぞれ示している。
二輪車用荷物運搬収納箱１０は有底矩形状の収納箱本体１１と、２つの蝶番１８，１８で開閉可能な蓋１２より構成されており、材質はＦＲＰ（ガラス繊維強化プラスチック）が用いられる。収納箱本体１１の底部には例えばバイクの後部荷台に取り付けるための取り付け具（図示していない）が設けられている。
【００１３】
収納箱本体１１の内部は、収納箱本体の容量全体の内ほぼ１／３の大きさを占めるスペースを作る仕切り板１３が形成されている。仕切り板１３によって書類などを収容する主収納部１０ａと、雨具入れ２０（図２参照）を収納する雨具入れ収納部１０ｂが形成される。
雨具入れ収納部１０ｂの底部の４隅に雨水を外部に排出するための排出孔１７，１７，１７，１７が設けられている。
蓋１２に取り付けられた蝶番１８，１８の一端は主収納部１０ａの上部位置に蝶番止めネジ１８ａによって止められている。また、蓋１２の一端に錠係止爪１９を有する錠１６が取り付けられ、収納箱本体１１の外側上部に錠１６を係止するためのキー溝１５を有する錠受け１４が設けられている。
【００１４】
図２は二輪車用荷物運搬収納箱に雨具入れを収納した状態を示す斜視図である。
雨具入れ２０は雨具入れ収納部１０ｂに収納され、この状態で二輪車用荷物運搬収納箱１０に蓋１２が被され、錠１６の錠係止爪１９を錠受け１４に係止させることによりキー溝１５にキーを差し込んで錠をすることができる。
【００１５】
図３は雨具入れの構造を説明するための図で、（ａ）は雨具入れの斜視図，（ｂ）は雨具入れの平面図である。図４は雨具入れを組み立てる前の雨具入れ片Ａ，Ｂの構造を示す図である。
雨具入れ２０は透明体のポリプロピレン（ＰＰ）などが用いられ、形状は蓋を開いたとき開いた蓋が他方の収納部側に立ち上がる構造であって、底部を有しない角型筒状の濡れ物収納容器として構成されている。
図４において、雨具入れ２０は雨具入れ片Ａ２１と雨具入れ片Ｂ２２とを組み立てることにより濡れ物収納容器が構成される。
雨具入れ片Ａ２１は図４の点線で示した折れ曲がり部を有し、本体片Ａ２１ｂの上部に蓋２１ｃが備わっており、端部に接着部２１ａを有している。蓋２１ｃに、はと目２４によって両面マジックテープ２３の端部が取り付けられている。側片２１ｄは端部に接着部２１ａを有し、その上部に補助蓋２１ｅが備わっている。
【００１６】
一方、雨具入れ片Ｂ２２は点線で示した折れ曲がり部を有し、本体片Ｂ２２ｂの上部に蓋２２ｃが備わっており、端部に接着部２２ａを有している。蓋２２ｃの中央にはマジックテープを通すテープ通し孔２２ｆとマジックテープを嵌合させるテープ嵌合溝２２ｇを有している。側片２２ｄは端部に接着部２２ａを有し、その上部に補助蓋２２ｅが備わっている。
雨具入れ片Ａ２１の接着部２１ａと雨具入れ片Ｂ２２の接着部２２ａとを接着して組み立てることにより、図３の（ａ）（ｂ）に示すように底部を有しない角型筒状の形となる。
【００１７】
図５は両面マジックテープの構造を説明するための図であり、図６は雨合羽３０を雨具入れに収納した状態を示す斜視図であって（ａ）は蓋を閉じる前の状態を、（ｂ）は蓋を閉じた状態をそれぞれ示している。
両面マジックテープ２３は一面に多数の雌係合部２３ａと雄係合部２３ｂを備えており、同じ構成の両面マジックテープ面を押しつけることにより係着する。
図６の（ａ）に示すように雨具入れ片Ａ２１と雨具入れ片Ｂ２２の補助蓋２１ｅと２２ｅを内側に折り曲げ、さらに蓋２１ｃと２２ｃとを内側に折り曲げ、両面マジックテープ２３を蓋２２ｃの裏側からテープ通し孔２２ｆに通して折り返して引き、両面マジックテープ２３に押しつけることにより図６の（ｂ）に示すように蓋をすることができる。
【００１８】
図３の（ａ）（ｂ）に示す雨具入れ２０を組み立て、図１Ａの雨具入れ収容部１０ｂに収容した状態で、図６の（ａ）（ｂ）に示すような操作を行うと、図２に示すように雨具入れ２０は雨具入れ収容部１０ｂに納まった状態となる。
両面マジックテープ２３を外すと、蓋２１ｃと２２ｃとを立ち上げることができるため、雨合羽３０などの雨具を主収納部１０ａに入れた鞄，書類などを濡らすことなく雨具入れ２０に入れることができる。雨具入れ２０に雨水などが付いていれば、雨具入れ２０の中で落ち、雨具入れ収納部１０ｂの底部に溜まり、排水孔１７から雨水を外部に排出することができる。
雨具を取り出す場合は、両面マジックテープ２３を外すと、蓋２１ｃと２２ｃとを立ち上げることができ、これにより主収納部１０ａに入れた書類などを濡らすことなく取り出すこともできる。
【００１９】
図７は雨具入れの実施例として巾着袋を用いた例を示す図で、（ａ）は巾着口を開いた状態を、（ｂ）は巾着口を閉じて雨具などを収納した状態をそれぞれ示している。
雨具入れ収納部１０ｂに雨具入れ２０に代えて巾着袋４０を収納することができる。
巾着袋４０は布製で、図７の（ａ）に示すようにひも通し孔４３に通したひも４２を引き出し巾着口４１を広げると巾着袋４０の幅および長さ方向一杯に広げることができ、巾着袋４０の寸法の大きさの雨具を容易に入れることができる。
雨具を入れた後は図７の（ｂ）に示すようにひも４２を引っ張って巾着口４１を閉じる。この段階で巾着袋４０の形状は内包した雨具の形状の大きさ近くまで小さくすることができ、雨具自体を押さえることにより形状が容易に変わるものであれば、雨具入れ収納部１０ｂにその形状に合わせて雨具を入れた巾着袋４０を入れることができる。
【００２０】
図８は雨具入れ収納部に巾着袋を収納した状態を示す図である。
巾着袋４０内には雨合羽や折り畳み傘などを収納することができる。巾着袋４０を雨具入れ収納部１０ｂから取り出した状態で、巾着袋４０に雨具を出し入れできる。そのため、二輪車用荷物運搬収納箱１０の雨具入れ収納部１０ｂから離れた位置で、濡れた雨具や折り畳み傘などを巾着袋４０に出し入れすれば、二輪車用荷物運搬収納箱１０の主収納部１０ａに入れた書類や配送物に水滴などを付けることなく、巾着袋４０を雨具入れ収納部１０ｂに出し入れすることができる。
布製であるので、雨具の水滴が巾着袋４０から染み出してきたとしても、染み出した水滴は排水孔１７から排出されるため、主収納部１０ａに染み出した水滴の影響が及ぶことは少ない。
【００２１】
以上の実施の形態の角型筒状の雨具入れについて、透明体のＰＰを用いた例を説明したが、材質はポリエチレンなどの他のプラスチック材料を用いることができ、透明体である必要はない。また、二輪車用荷物運搬収納箱１０はＦＲＰを用いているが、強度のある他の材質のプラスチック材であっても良い。
また、取り付ける二輪車としてバイク，自動二輪車の他、エンジンの搭載されていない自転車などに取り付けることもできる。
【産業上の利用可能性】
【００２２】
二輪車の後部座席などに取り付ける収納箱であって、雨が降ると、雨合羽などを着用して運転することになるため、雨合羽を二輪車用荷物運搬収納箱に他の書類等を濡らすことなく出し入れすることができる。
【符号の説明】
【００２３】
１０  二輪車用荷物運搬収納箱
１１  収納箱本体
１２  蓋
１３  仕切り板
１４  錠受け
１５  キー溝
１６  錠
１７  排水孔
１８ａ  蝶番止めネジ
１９  錠係止爪
２０  雨具入れ
２１  雨具入れ片Ａ
２１ａ  接着部
２１ｂ  本体片Ａ
２１ｃ  蓋
２１ｅ  補助蓋
２２  雨具入れ片Ｂ
２２ａ  接着部
２２ｂ  本体片Ｂ
２２ｃ  蓋
２２ｅ  補助蓋
２２ｆ  テープ通し孔
２２ｇ  テープ嵌合溝
２３  両面マジックテープ
２３ａ  雌係止部
２３ｂ  雄係止部
３０  雨合羽
４０  巾着袋（雨具入れ）
４１  巾着口
４２  ひも
４３  ひも通し孔
【図１Ａ】
0003160756.tif 000003
【図１Ｂ】
0003160756.tif 000004
【図２】
0003160756.tif 000005
【図３】
0003160756.tif 000006
【図４】
0003160756.tif 000007
【図５】
0003160756.tif 000008
【図６】
0003160756.tif 000009
【図７】
0003160756.tif 000010
【図８】
0003160756.tif 000011
【手続補正書】
【提出日】平成22年4月27日(2010.4.27)
【手続補正１】
【補正対象書類名】明細書
【補正対象項目名】０００９
【補正方法】変更
【補正の内容】
【０００９】
前記目的を達成するために本考案の請求項１記載の二輪車用荷物運搬収納箱は、二輪車の後部座席に取り付けて使用する荷物運搬収納箱において、少なくとも２つの収納部を左右に仕切るための仕切り板を有し、一方の収納部には底部に排水孔を備える収納箱本体と、一方の収納部に収納し、蓋を開いたとき開いた蓋が他方の収納部側に立ち上がる構造であって、底部を有しない角型筒状の濡れ物収納容器とからなり、
一方の収納部に収納した前記濡れ物収納容器に対し他方の収納部に入れた物を濡らすことなく濡れ物を出し入れ可能に構成したことを特徴とする。
本考案の請求項２は請求項１記載の考案において前記濡れ物を入れる濡れ物収納容器の蓋は、両側の雨具入れ片にそれぞれ立ち上げ部分を有し、立ち上げ部分を折り曲げてマジックテープ（登録商標）で接続し閉じることを特徴とする。
本考案の請求項３記載の二輪車用荷物運搬収納箱は、二輪車の後部座席に取り付けて使用する荷物運搬収納箱において、少なくとも２つの収納部を左右に仕切るための仕切り板を有し、一方の収納部には底部に排水孔を備える収納箱本体と、一方の収納部に収納し、巾着口を有する布製の濡れ物収納容器とからなり、他方の収納部に入れた物を濡らすことなく布製の前記濡れ物収納容器を一方の収納部に対し出し入れ可能に構成したことを特徴とする。
本考案の請求項４は請求項１，２または３記載の考案において前記濡れ物収納容器とは雨合羽や折り畳み傘などの雨具を入れる容器であることを特徴とする。
本考案の請求項５は請求項１，２，３または４記載の考案において前記収納箱本体を開閉する蓋は、錠を有することを特徴とする。
【手続補正２】
【補正対象書類名】実用新案登録請求の範囲
【補正対象項目名】請求項１
【補正方法】変更
【補正の内容】
【請求項１】
二輪車の後部座席に取り付けて使用する荷物運搬収納箱において、
少なくとも２つの収納部を左右に仕切るための仕切り板を有し、一方の収納部には底部に排水孔を備える収納箱本体と、
一方の収納部に収納し、蓋を開いたとき開いた蓋が他方の収納部側に立ち上がる構造であって、底部を有しない角型筒状の濡れ物収納容器と、
からなり、
一方の収納部に収納した前記濡れ物収納容器に対し他方の収納部に入れた物を濡らすことなく濡れ物を出し入れ可能に構成したことを特徴とする二輪車用荷物運搬収納箱。
【手続補正３】
【補正対象書類名】実用新案登録請求の範囲
【補正対象項目名】請求項３
【補正方法】変更
【補正の内容】
【請求項３】
二輪車の後部座席に取り付けて使用する荷物運搬収納箱において、
少なくとも２つの収納部を左右に仕切るための仕切り板を有し、一方の収納部には底部に排水孔を備える収納箱本体と、
一方の収納部に収納し、巾着口を有する布製の濡れ物収納容器と、
からなり、
他方の収納部に入れた物を濡らすことなく布製の前記濡れ物収納容器を一方の収納部に対し出し入れ可能に構成したことを特徴とする二輪車用荷物運搬収納箱。